(57)【要約】【課題】  天井照明の光むらの原因となる光源の過疎化を防ぎ、非常救出作業が妨げられないエレベータかご天井構造を実現する。【解決手段】  昇降路１９内を昇降する乗りかご１４のかご天井１に乗客を救出するための天井救出口４が設けられ、天井救出口４に天井救出口４を塞ぐ救出口カバー６が備えられたエレベーター装置において、救出口カバー６には、天井救出口４の開口部の長辺の長さを超える長尺の照明器具５が締結され、照明器具５は、救出口カバー６と照明器具５との締結を緩めることにより、救出口カバー６との間隔を広げることができ、間隔を広げた状態で救出口カバー６をスライドさせて、照明器具５を救出口カバー６から取り外すことなくかご天井１上に引き抜くことが可能なことを特徴とする。【選択図】  図３
2015205767.tif 000002
【特許請求の範囲】
【請求項１】
昇降路内を昇降する乗りかごのかご天井に乗客を救出するための天井救出口が設けられ、前記天井救出口に前記天井救出口を塞ぐ救出口カバーが備えられたエレベーター装置において、
前記救出口カバーには、前記天井救出口の開口部の長辺の長さを超える長尺の照明器具が締結され、
前記照明器具は、前記救出口カバーと前記照明器具との締結を緩めることにより、前記救出口カバーとの間隔を広げることができ、前記間隔を広げた状態で前記救出口カバーをスライドさせて、前記照明器具を前記救出口カバーから取り外すことなくかご天井上に引き抜くことが可能なことを特徴とするエレベータ装置。
【請求項２】
前記救出口カバーと照明器具は、前記間隔を狭めて前記救出口カバーに前記照明器具を締結することで、前記救出口カバーと前記照明器具の間に前記天井を挟持して前記天井救出口を塞いだ状態で固定されることを特徴とする請求項１に記載のエレベータ装置。
【請求項３】
前記救出口カバーと前記照明器具は、前記救出口カバーと前記照明器具の両者に挿通されたボルトと、前記ボルトと螺合する蝶ナットと、スペーサとを備え、
前記蝶ナットによる締結を緩めることで前記スペーサを外すことが可能となっており、前記スペーサを外すこと前記救出口カバーとの間隔を広げることが可能なことを特徴とする請求項１に記載のエレベータ装置。
【発明の詳細な説明】
【技術分野】
【０００１】
本発明は、エレベータのかご天井に救出口を有するエレベーター装置の天井構造の改良に関する。
【背景技術】
【０００２】
エレベータの天井救出口は、故障等によりかご内に閉じ込められた乗客を天井上に救出するための非常用出口である。救出口を塞いでいるカバーを外して乗客を救出するまでの一連の作業は全てかご天井上から行う必要がある。
【０００３】
従来技術として、照明板を移動させて保守点検や非常救出を行いやすくしたものが知られている（特許文献１参照）。
【先行技術文献】
【特許文献】
【０００４】
【特許文献１】特開２００６−２７３５４０号公報
【発明の概要】
【発明が解決しようとする課題】
【０００５】
しかしながら、従来の照明器具配置では直管型蛍光灯照明器具や長尺のＬＥＤ照明器具など、天井救出口開口部のサイズを越える照明器具は、非常救出の妨げになるために開口部を塞ぐ形には配置できず、また、開口部を避けて配置すれば、照明器具同士の間隔が離れて光源が過疎化するために光むらが生じ、意匠が悪化してしまう。
【０００６】
本発明の目的は、照明の光むらの原因となる光源の過疎化を防ぎ、非常救出作業が妨げられないエレベータかご天井を提供することにある。
【課題を解決するための手段】
【０００７】
本発明は上記目的を達成するために、本発明にかかるエレベータ装置は、昇降路内を昇降する乗りかごの天井に乗客を救出するための天井救出口が設けられ、前記天井救出口に前記天井救出口を塞ぐ救出口カバーが備えられたエレベーター装置において、前記救出口カバーには、前記天井救出口の開口部の長辺の長さを超える長尺の照明器具が締結され、前記照明器具は、前記救出口カバーと前記照明器具との締結を緩めることにより、前記救出口カバーとの間隔を広げることができ、前記間隔を広げた状態で前記救出口カバーをスライドさせて、前記照明器具を前記救出口カバーから取り外すことなくかご天井上に引き抜くことが可能なことを特徴とする。
【発明の効果】
【０００８】
照明の光むらの原因となる光源の過疎化を防ぎ、非常救出作業が妨げられないエレベータかご天井を提供することができる。
【図面の簡単な説明】
【０００９】
【図１】本発明の一実施の形態を示す図で、エレベータかごの天井をかご内から見上げた図である。
【図２】図１から照明板２を取り除いた図である。
【図３】図２のＡ−Ａ断面図である。
【図４】スペーサ７の斜視図である。
【図５】動作状態を示す図で図３に相当する図である。
【図６】動作状態を示す図で図３に相当する図である。
【図７】動作状態を示す図で図３に相当する図である。
【図８】エレベータの概要を示す側面図である。
【発明を実施するための形態】
【００１０】
以下、本発明の実施の形態を図面に基づいて説明する。
【００１１】
図８は、本発明の一実施の形態を示す図で、エレベータの概要を示す側面図である。乗りかご１４は主ロープ１５により吊り下げられており、鋼車１６と反らせ車１７を介して結ばれた釣り合いおもり１８と対をなして昇降路１９内を上下に運転する。
【００１２】
図１は、かご天井１をかご内から見上げた図である。従来構造のかごと同じく第２天井として透過性パネルの照明板２と照明板２を保持するための目地枠３を有し、照明板２は従来構造と同じく、天井救出口から手を伸ばして位置をずらすことができるため、照明板２により非常救出作業が阻害されることは無い。
【００１３】
図２に示すように、かご天井には天井救出口４の開口部長辺よりも長尺の照明器具５が配置されている。本実施の形態では、中央の照明器具５が従来構造では長尺の照明器具を配置することが難しかった天井救出口４を塞ぐ形で配置されているため、隣接する照明器具５との間隔を等しく保つことが可能である。これにより光源の過疎化を防いでいるため、かご内の乗客は照明板２を介して光むらの無い良好な意匠を享受することができる。
【００１４】
天井救出口４を塞ぐ形で配置された照明器具５は、図３に示すようにボルト８と蝶ナット９により救出口カバー６に締結されているのみで、かご天井１には直接締結されていないため、救出口カバー６を動かせば照明器具５も動かすことができるようになっている。また、通常時は、救出口カバー６と蝶ナット９の間にスペーサ７が挟み込まれている。ボルト８は照明器具５に固定されていて、天井上からの作業のみで蝶ナット９を緩めることができる。１２は、蝶ナット９を緩め過ぎて外れてしまうことを抑止する外れ止めキャップである。
【００１５】
図４に示すように、スペーサ７にはボルト８を通すための切込み１３が設けられており、蝶ナット９を緩めれば、スペーサ７は取り除くことができるようになっている。
【００１６】
図５に示すように、スペーサ７が取り除かれれば照明器具５がスペーサ７の高さ分だけ下がり、かご天井１と照明器具５の間に隙間が生じる。この隙間を使って、図６に示すように照明器具５を救出口カバー６ごとずらして傾けることができるようになる。照明器具５に電源を供給するための配線１０をコネクタ１１により接続遮断すれば、照明器具５及び救出口カバー６はかご天井１より完全にフリーになり、図７に示すように照明器具５を後端部から救出カバー６ごとかご天井上に引き抜くことができる。
【００１７】
このような救出口カバー６と照明器具５の締結構造を採ることによって、救出作業時には少し蝶ナット９を緩めればスペーサ７を取り除くことができ、それにより、照明器具をスライドし、天井救出口４を開放するための救出口カバー６を取り外すことができるので、迅速な開放が行いうる。また逆の手順で天井救出口４を塞ぐことも可能であるため、エレベーター装置が復旧した際には迅速な戻し作業も行うことができる。
【００１８】
また、照明器具５は配線１０をコネクタ１１により着脱が可能であるため、天井救出口４開放時に救助に邪魔ないならない位置に対比させておくことが可能となるとともに、長い配線等を配置したりする必要もないため、救出活動時に配線が足に絡んだりすることや通常使用時に長い配線を収納するスペースを設けたり、照明板２に影を落としたりしないように収納する方法を考慮したりする手間もかけずに済む。
【００１９】
また、救出口カバー６と照明器具５は、天井救出口４を塞ぐように救出口カバー６を配置すると、照明状態が均一になるように照明器具５がかご天井１のかご内面に配置され、蝶ナット９を締めることで救出口カバー６と照明器具５の間隔を狭めて救出口カバー６に照明器具５を締結する。すると、救出口カバー６と照明器具５の間にかご天井１が挟持され、天井救出口４を塞いだ状態で救出口カバー６及び照明器具５が固定される。
【００２０】
以上説明したように、非常救出時には、蝶ナット９を緩めてスペーサ７を取り除くことにより、図５〜７の工程で、天井救出口４を塞いでいる照明器具５を救出口カバー６ごと取り除いて、非常救出用の開口面積を確保でき、非常救出作業が妨げられないエレベータかご天井構造が実現できる。
【００２１】
前記実施の形態では、市販されている直管形蛍光灯用の照明器具または直管蛍光灯型ＬＥＤ用の照明器具の図を用いているが、例えばＬＥＤ基板をプレートに取り付けた専用の照明器具を使用することも可能である。
【符号の説明】
【００２２】
１    かご天井
２    照明板
３    目地枠
４    天井救出口
５    照明器具
６    救出口カバー
７    スペーサ
８    ボルト
９    蝶ナット
１０  配線
１１  コネクタ
１２  外れ止めキャップ
１３  切込み
１４  乗りかご
１５  主ロープ
１６  鋼車
１７  反らせ車
１８  釣り合いおもり
１９  昇降路
【図１】
2015205767.tif 000003
【図２】
2015205767.tif 000004
【図３】
2015205767.tif 000005
【図４】
2015205767.tif 000006
【図５】
2015205767.tif 000007
【図６】
2015205767.tif 000008
【図７】
2015205767.tif 000009
【図８】
2015205767.tif 000010